(57)【特許請求の範囲】
【請求項１】
外部機器から、当該外部機器の向きに応じた方向に表示する表示画面を含む表示データと、前記外部機器の向きを示す姿勢情報と、前記外部機器の機種を示す機種情報とを受信する受信手段と、
前記姿勢情報をもとに、前記機種情報に対応した枠画像に前記表示データに含まれる表示画面をはめ込んだ画像を、前記外部機器の向きに合わせた方向に回転する画像回転手段と、
回転された前記画像を表示する表示手段と、
を備えることを特徴とする表示装置。
【請求項２】
前記外部機器との接続を検出する検出手段を更に備え、
前記表示手段は、前記外部機器との接続の検出に応じて、当該検出前に表示していた第１の画面と、回転された前記表示画面を含む第２の画面とを表示すること、
を特徴とする請求項１に記載の表示装置。
【請求項３】
前記受信手段は、接続された前記外部機器から、前記第２の画面の表示サイズにかかるサイズ情報を受信し、
前記表示手段は、前記サイズ情報に応じた表示サイズで前記第２の画面を表示すること、
を特徴とする請求項２に記載の表示装置。
【請求項４】
前記受信手段は、前記外部機器から、前記表示画面の中で表示すべき領域を示す領域情報を受信し、
前記表示手段は、回転された前記表示画面の中で、前記領域情報に応じた領域を切り出した画像を表示すること、
を特徴とする請求項１乃至３のいずれか一項に記載の表示装置。
【請求項５】
受信手段が、外部機器から、当該外部機器の向きに応じた方向に表示する表示画面を含む表示データと、前記外部機器の向きを示す姿勢情報と、前記外部機器の機種を示す機種情報とを受信するステップと、
画像回転手段が、前記姿勢情報をもとに、前記機種情報に対応した枠画像に前記表示データに含まれる表示画面をはめ込んだ画像を、前記外部機器の向きに合わせた方向に回転するステップと、
表示手段が、回転された前記画像を表示するステップと、
を含むことを特徴とする表示方法。
【発明の詳細な説明】
【技術分野】
【０００１】
本発明の実施形態は、表示装置、及び表示方法に関する。
【背景技術】
【０００２】
従来、携帯電話などの情報端末装置においては、テレビジョン装置などの表示装置に接続して、自装置の表示画面を接続した表示装置に出力するものがある。表示装置では、接続中の情報端末装置から出力された表示画面をディスプレイに表示する。これにより、ユーザは、情報端末装置の表示画面を、情報端末装置だけでなく表示装置のディスプレイからも確認できる。
【先行技術文献】
【特許文献】
【０００３】
【特許文献１】特開２００８−１８２３８９号公報
【発明の概要】
【発明が解決しようとする課題】
【０００４】
ところで、情報端末装置においては、縦向き又は横向きなどの自装置の姿勢を検出し、検出した姿勢に応じて表示画面を変更するものがある。この場合、上記従来技術では、表示装置のディスプレイに表示される情報端末装置の表示画面は、上述した姿勢に応じて縦向きに表示されていた画面が横向きに寝てしまうなど、情報端末装置から出力された表示画面が見づらくなることがあった。
【０００５】
本発明は、上記に鑑みてなされたものであって、情報端末装置から出力された表示画面を表示する際に、その情報端末装置の姿勢に応じて出力される表示画面が変更される場合であっても、その表示画面を見易くすることを可能とすることを目的とする。
【課題を解決するための手段】
【０００６】
上述した課題を解決し、目的を達成するために、本発明の実施形態の表示装置は、外部機器から、当該外部機器の向きに応じた方向に表示する表示画面を含む表示データと、前記外部機器の向きを示す姿勢情報と、前記外部機器の機種を示す機種情報とを受信する受信手段と、前記姿勢情報をもとに、前記機種情報に対応した枠画像に前記表示データに含まれる表示画面をはめ込んだ画像を、前記外部機器の向きに合わせた方向に回転する画像回転手段と、回転された前記画像を表示する表示手段とを備える。
【０００８】
また、本発明の実施形態の表示方法は、受信手段が、外部機器から、当該外部機器の姿勢に応じた方向に表示する表示画面を含む表示データと、前記外部機器の向きを示す姿勢情報と、前記外部機器の機種を示す機種情報とを受信するステップと、画像回転手段が、前記姿勢情報をもとに、前記機種情報に対応した枠画像に前記表示データに含まれる表示画面をはめ込んだ画像を、前記外部機器の向きに合わせた方向に回転するステップと、表示手段が、回転された前記画像を表示するステップとを含む。
【図面の簡単な説明】
【０００９】
【図１】図１は、テレビジョン受信装置と携帯電話との接続を例示する概念図である。
【図２】図２は、携帯電話をクレードルへ設置した正面外観を示す外観図である。
【図３】図３は、携帯電話をクレードルへ設置した背面外観を示す外観図である。
【図４】図４は、テレビジョン受信装置と携帯電話との表示を例示する概念図である。
【図５】図５は、テレビジョン受信装置の構成を例示するブロック図である。
【図６】図６は、携帯電話の構成を例示するブロック図である。
【図７】図７は、テレビジョン受信装置と携帯電話との動作を例示するフローチャートである。
【図８】図８は、操作画像の一例を示す概念図である。
【図９】図９は、テレビジョン受信装置と携帯電話との表示を例示する概念図である。
【図１０】図１０は、テレビジョン受信装置と携帯電話との表示を例示する概念図である。
【図１１】図１１は、テレビジョン受信装置と携帯電話との表示を例示する概念図である。
【図１２】図１２は、変形例にかかるテレビジョン受信装置と携帯電話との表示を例示する概念図である。
【図１３】図１３は、変形例にかかるテレビジョン受信装置と携帯電話との表示を例示する概念図である。
【発明を実施するための形態】
【００１０】
以下に添付図面を参照して、本実施形態にかかる表示装置、情報端末装置、表示方法を詳細に説明する。なお、本実施形態では表示装置をテレビジョン受信装置、情報端末装置を携帯電話として説明するが、表示装置及び情報端末装置は、テレビジョン受信装置、携帯電話の他、ＰＣ（Personal  Computer）、ノートＰＣ、ＰＤＡ（Personal  Digital  Assistant）などの情報機器であってよい。
【００１１】
図１は、テレビジョン受信装置１００と携帯電話２００との接続を例示する概念図である。図１に示すように、テレビジョン受信装置１００と携帯電話２００とは通信ケーブル３００を介して互いに通信可能に接続される。テレビジョン受信装置１００は、例えばＬＣＤ（Liquid  Crystal  Display）などの表示部１０１を備える。携帯電話２００は、筐体２０１の正面に例えばＬＣＤなどの表示部２０２、各種操作キーを配した操作部２０３などを備える。なお、操作部２０３は、表示部２０２に積層されたタッチパネルであってもよい。
【００１２】
通信ケーブル３００は、映像信号や音声信号などを伝達するための映像・音声用信号線、制御信号を伝達するための制御用信号線（いずれも図示しない）などが纏められたケーブルであり、例えばＨＤＭＩ（High-Definition  Multimedia  Interface）規格に準拠したケーブルである。この通信ケーブル３００により、テレビジョン受信装置１００と携帯電話２００とは、映像信号や音声信号などの他、制御信号を相互に通信可能となっている。本実施形態において、通信ケーブル３００はＨＤＭＩ規格に準拠したケーブルとし、テレビジョン受信装置１００と携帯電話２００との間の制御信号は、ＨＤＭＩ‐ＣＥＣ（Consumer  Electronics  Control）と呼ばれる制御プロトコルに従うものとする。なお、テレビジョン受信装置１００と携帯電話２００との間の通信は、ＨＤＭＩ規格以外で行われてもよく、例えばＷｉｒｅｌｅｓｓＨＤ規格による無線通信であってもよい。
【００１３】
図２は、携帯電話２００をクレードル３０１へ設置した正面外観を示す外観図である。図３は、携帯電話２００をクレードル３０１へ設置した背面外観を示す外観図である。図２、３に示すように、携帯電話２００はクレードル３０１へ設置しての利用が可能となっている。携帯電話２００とクレードル３０１とは、筐体２０１の背面に設けられた接続コネクタ（図示しない）を介して電気的に接続される。したがって、携帯電話２００は、クレードル３０１へ設置した状態で、クレードル３０１の背面に設けられた外部出力コネクタ３０３を介して通信ケーブル３００と接続する。また、携帯電話２００は、クレードル３０１へ設置した状態で電源コネクタ３０２を介して電源供給が行われる。クレードル３０１は、縦方向又は横方向に向けて支持する回転支持部材（図示しない）で携帯電話２００の筐体２０１を支持する。したがって、携帯電話２００は、クレードル３０１に設置した状態で縦方向又は横方向に向けた使用が可能となっている。なお、携帯電話２００を縦方向又は横方向に向ける際には、クレードル３０１に通信ケーブル３００を接続していることから、通信ケーブル３００が携帯電話２００の移動に邪魔することはない。
【００１４】
なお、本実施形態では、携帯電話２００をクレードル３０１へ設置することで、携帯電話２００に通信ケーブル３００を接続する構成を例示するが、携帯電話２００と通信ケーブル３００との接続レイアウトは上述した例に限定しない。例えば、携帯電話２００の筐体２０１に通信ケーブル３００と接続するための接続コネクタを設ける構成であってもよい。この場合は、ユーザが携帯電話２００を縦方向又は横方向に向けて把持した状態で使用することができる。
【００１５】
ここで、本実施形態におけるテレビジョン受信装置１００と携帯電話２００との表示の概要を説明する。図４は、テレビジョン受信装置１００と携帯電話２００との表示を例示する概念図である。
【００１６】
図４に示すように、携帯電話２００が未接続の状態において、テレビジョン受信装置１００の表示部１０１には、受信した放送画面が表示されているものとする。携帯電話２００がテレビジョン受信装置１００に接続されると、テレビジョン受信装置１００の表示部１０１は、受信した放送画面を表示する画面Ｇ１の他に、携帯電話２００の筐体２０１における表示画面を表示する外部入力画面Ｇ２の表示を行う。すなわち、テレビジョン受信装置１００では、画面Ｇ１と外部入力画面Ｇ２との２画面表示を行う。
【００１７】
携帯電話２００の表示画面は、携帯電話２００の姿勢に応じて表示レイアウトが変更される。例えば、横方向又は縦方向で表示方向を変更する。また、携帯電話２００の姿勢を横方向にした場合の表示部２０２の画面サイズを例えば４８０×３２０とすると、携帯電話２００の姿勢を縦方向にした場合の表示部２０２の画面サイズは３２０×４８０となることから、携帯電話２００の姿勢に応じて表示画面の縦横比を変更する。
【００１８】
携帯電話２００の姿勢に応じて表示レイアウトが変更される携帯電話２００の表示画面をそのまま外部入力画面Ｇ２として表示した場合は、携帯電話２００の姿勢が横方向から縦方向、又は縦方向から横方向へ変更されることで、縦向きに表示されていた外部入力画面Ｇ２が横向きに寝てしまうなど、見づらくなることとなる。本実施形態では、携帯電話２００の表示画面を表示する外部入力画面Ｇ２を携帯電話２００の姿勢に合わせて回転させることで、見易くしている（詳細は後述する）。
【００１９】
次に、テレビジョン受信装置１００の構成について説明する。図５は、テレビジョン受信装置１００の構成を例示するブロック図である。図５に示すように、テレビジョン受信装置１００は、表示部１０１と、制御部１０２と、記憶部１０３と、チューナー部１０４と、アンテナ１０５と、通信Ｉ／Ｆ１０６とを備えている。
【００２０】
制御部１０２は、ＣＰＵ（Central  Processing  Unit）、ＲＯＭ（Read  Only  Memory）、ＲＡＭ（Random  Access  Memory）などを備え（いずれも図示しない）、テレビジョン受信装置１００の動作を中央制御する。具体的には、制御部１０２は、ＣＰＵがＲＯＭに記憶されたプログラムや記憶部１０３に記憶されたアプリケーション１０３１をＲＡＭに展開して順次実行することで、各部の制御を行う。例えば、制御部１０２は、アンテナ１０５、チューナー部１０４を介して受信した放送波に含まれるコンテンツ（放送番組）の表示部１０１への表示や、通信Ｉ／Ｆ１０６を介して入力される表示データの表示部１０１への表示などを制御する。
【００２１】
記憶部１０３は、テレビジョン受信装置１００の動作に必要な各種情報や制御部１０２が実行するためのアプリケーション１０３１などを記憶する不揮発性メモリなどである。チューナー部１０４は、制御部１０２の制御の下、アンテナ１０５から供給されたテレビ放送の放送波から、所望のチャンネルの放送波を選択して受信する。通信Ｉ／Ｆ１０６は、制御部１０２の制御の下、所定の通信プロトコルに従ってデータ通信を行うインターフェースである。通信Ｉ／Ｆ１０６は、通信ケーブル３００を介して接続する携帯電話２００との間でＨＤＭＩ規格に則った通信を行う。また、通信Ｉ／Ｆ１０６は、通信ケーブル３００を介した携帯電話２００などの外部機器との接続の有無を、制御用信号線の導通の有無などをもとに検出し、外部機器との接続が検出された場合は制御部１０２へ通知する。制御部１０２では、通信ケーブル３００を介したテレビジョン受信装置１００との接続に応じて、テレビジョン受信装置１００との間の送受信を開始する。
【００２２】
次に、携帯電話２００の構成について説明する。図６は、携帯電話２００の構成を例示するブロック図である。図６に示すように、携帯電話２００は、表示部２０２と、操作部２０３と、制御部２０４と、記憶部２０５と、復変調部２０６と、アンテナ２０７と、音声入出力部２０８と、姿勢検出部２０９と、通信Ｉ／Ｆ２１０とを備えている。
【００２３】
制御部２０４は、ＣＰＵ、ＲＯＭ、ＲＡＭなどを備え（いずれも図示しない）、携帯電話２００の動作を中央制御する。具体的には、制御部２０４は、ＣＰＵがＲＯＭに記憶されたプログラムや記憶部２０５に記憶されたアプリケーション２０５１をＲＡＭに展開して順次実行することで、各部の制御を行う。例えば、制御部２０４は、通常の電話機能にかかる制御の他、姿勢検出部２０９により検出された携帯電話２００の姿勢に応じた表示部２０２の表示制御などを行う。
【００２４】
記憶部２０５は、携帯電話２００の動作に必要な各種情報や制御部２０４が実行するためのアプリケーション２０５１などを記憶する不揮発性メモリなどである。復変調部２０６は、アンテナ２０７を介して受信された所定の周波数の電波を復調するとともに、通信先への情報を所定の周波数へ変調し、アンテナ２０７から送信出力する。アンテナ２０７は、携帯電話２００の周波数帯域（例えば８００ＭＨｚ帯、１．５ＧＨｚ帯など）の電波を送受信する。アンテナ２０７は、復変調部２０６と接続されている。音声入出力部２０８は、通常の電話機能で用いられる音声入出力処理を行う。例えば、音声入出力部２０８は、デジタル音声信号をＤ／Ａ変換してスピーカ（図示しない）に出力する音声出力処理、マイク（図示しない）からの音声入力をＡ／Ｄ変換して入力する音声入力処理を実行する。
【００２５】
姿勢検出部２０９は、携帯電話２００の姿勢を検出する。具体的には、姿勢検出部２０９は、ＸＹＺの３軸それぞれの方向に対応した加速度センサ（図示しない）から携帯電話２００の加速度データを取得する。次いで、姿勢検出部２０９は、３軸それぞれの方向に対応した加速度データをもとに、一定時間の加速度データの平均を３次元ベクトルとして算出した後、算出した三次元ベクトルを１Ｇの大きさになるように正規化するなどして、重力方向を基準とした携帯電話２００の姿勢を検出する。携帯電話２００では、姿勢検出部２０９の検出結果をもとに、横方向又は縦方向にクレードル３０１に設置されている携帯電話２００の姿勢を検出する。
【００２６】
通信Ｉ／Ｆ２１０は、制御部２０４の制御の下、所定の通信プロトコルに従ってデータ通信を行うインターフェースである。通信Ｉ／Ｆ２１０には、クレードル３０１と接続する接続コネクタなども含まれる。通信Ｉ／Ｆ２１０は、通信ケーブル３００を介して接続するテレビジョン受信装置１００との間でＨＤＭＩ規格に則った通信を行う。また、通信Ｉ／Ｆ２１０は、携帯電話２００のクレードル３０１への設置や通信ケーブル３００を介したテレビジョン受信装置１００などの外部機器との接続の有無を、接続コネクタや制御用信号線の導通の有無などをもとに検出し、検出結果を制御部２０４へ通知する。制御部２０４は、携帯電話２００のクレードル３０１への設置に応じて表示部２０２への表示を開始する。また、制御部２０４は、通信ケーブル３００を介したテレビジョン受信装置１００との接続に応じて、表示部２０２の表示画面などのテレビジョン受信装置１００への出力を開始する。
【００２７】
次に、テレビジョン受信装置１００と携帯電話２００との動作を説明する。図７は、テレビジョン受信装置１００と携帯電話２００との動作を例示するフローチャートである。
【００２８】
先ず、携帯電話２００側の動作について説明する。以下で説明する携帯電話２００側の処理は、例えば、操作部２０３による操作指示やクレードル３０１への携帯電話２００の設置などをもとに、制御部２０４によりアプリケーション２０５１が順次実行されることで実現される。
【００２９】
図７に示すように、処理が開始されると、姿勢検出部２０９は携帯電話２００の姿勢を検出し（Ｓ１）、制御部２０４は、姿勢検出部２０９が検出した携帯電話２００の姿勢に応じた表示部２０２の画面表示を行う（Ｓ２）。
【００３０】
具体的には、重力方向に対して操作部２０３を下にした状態（図４：縦方向の状態）を基準に、上（基準とした状態）、右、左、下のいずれの方向に表示部２０２が向いているかを検出し、検出された向きに合わせた表示画面を表示部２０２へ表示する。例えば、上方向に表示部２０２が向いている状態では（図４：縦方向の状態）、操作部２０３を下にした携帯電話２００の姿勢に合わせた表示方向で、縦長の画面サイズに合わせた表示レイアウトの表示画面を表示部２０２へ表示する。また、その状態から左へ９０度回転した状態（図４：横方向の状態）であって、基準に対して右方向に表示部２０２が向いている状態では、操作部２０３を右にした携帯電話２００の姿勢に合わせた表示方向で、横長の画面サイズに合わせた表示レイアウトの表示画面を表示部２０２へ表示する。
【００３１】
次いで、制御部２０４は、外部機器（テレビジョン受信装置１００）との接続の有無を検出する（Ｓ３）。テレビジョン受信装置１００との接続がない場合（Ｓ３：ＮＯ）はＳ１へ処理を戻し、携帯電話２００の姿勢に応じた表示部２０２の画面表示を継続する。
【００３２】
テレビジョン受信装置１００との接続がある場合（Ｓ３：ＹＥＳ）、制御部２０４は、携帯電話２００の機種を示す機種情報（例えば機種の型番など）を記憶部２０５に予め設定されている各種情報から取得し、通信Ｉ／Ｆ２１０、通信ケーブル３００を介してテレビジョン受信装置１００へ出力する（Ｓ４）。次いで、制御部２０４は、姿勢検出部２０９が検出した携帯電話２００の姿勢に応じた操作画像を表示部２０２の画面に表示する（Ｓ５）。
【００３３】
Ｓ５における操作画像は、接続したテレビジョン受信装置１００への操作指示を行うためのアイコン画像などである。図８は、操作画像Ｇ３の一例を示す概念図である。図８に示すように操作画像Ｇ３は、重力方向に対して操作部２０３を下にした状態を基準に、上（基準とした状態）、右、左、下のいずれの方向に表示部２０２が向いているかを姿勢検出部２０９で検出し、検出された向きに合わせて表示部２０２の画面に表示される。図示例では、操作部２０３を下にした携帯電話２００の姿勢に合わせた向きで、表示部２０２の画面下部に操作画像Ｇ３が表示されている。操作画像Ｇ３は、画面Ｇ１と外部入力画面Ｇ２との２画面表示における画面Ｇ１と外部入力画面Ｇ２とのサイズ比率を操作するスライダＧ３１や、外部入力画面Ｇ２のＯＮ／ＯＦＦなどを操作するボタンＧ３２などを有する構成である。なお、操作画像Ｇ３の構成は、姿勢検出部２０９で検出された携帯電話２００の姿勢に応じて変更してもよい。例えば、上述した縦方向の場合とは異なり、横方向の場合には、画面Ｇ１に表示している放送画面のチャンネル変更などを行う操作ボタンを表示してもよい（図１１参照）。
【００３４】
次いで、出力手段としての制御部２０４は、表示部２０２に画面表示している表示データと、姿勢検出部２０９が検出した携帯電話２００の姿勢を示す情報（姿勢情報）とを通信Ｉ／Ｆ２１０、通信ケーブル３００を介してテレビジョン受信装置１００へ出力する（Ｓ６）。この姿勢を示す情報は、重力方向に対して操作部２０３を下にした状態（図４：縦方向の状態）を基準に、上（基準とした状態）、右、左、下のいずれの方向に表示部２０２が向いているかなどの情報であってよい。
【００３５】
次いで、制御部２０４は、表示部２０２の画面に表示された操作画像Ｇ３による操作指示を操作部２０３より受け付ける（Ｓ７）。操作画像Ｇ３による操作の受け付けは、操作ボタンによるものの他、表示部２０２に重畳されたタッチパネルによるものであってよい。次いで、制御部２０４は、受け付けた操作指示を通信Ｉ／Ｆ２１０、通信ケーブル３００を介してテレビジョン受信装置１００へ出力する（Ｓ８）。
【００３６】
次いで、制御部２０４は、操作部２０３による終了の操作指示やクレードル３０１に設置された携帯電話２００の取り外しなどに応じて、処理の終了の有無を判定する（Ｓ９）。処理を継続する場合（Ｓ９：ＮＯ）はＳ１へ処理を戻す。処理を終了する場合（Ｓ９：ＹＥＳ）、制御部２０４は、表示部２０２の画面表示やテレビジョン受信装置１００への表示データの出力などを停止して処理を終了する。
【００３７】
次に、テレビジョン受信装置１００側の動作について説明する。以下で説明するテレビジョン受信装置１００側の処理は、例えば、リモートコントローラや操作ボタン（いずれも図示しない）などによる操作指示をもとに、制御部１０２によりアプリケーション１０３１が順次実行されることで実現される。
【００３８】
図７に示すように、処理が開始されると、制御部１０２は、チューナー部１０４で受信した放送波に含まれるコンテンツを表示部１０１の放送画面に表示する（Ｓ２０）。なお、本実施形態において、携帯電話２００から出力される表示画面以外のテレビジョン受信装置１００の表示については、放送画面を例示している。しかしながら、テレビジョン受信装置１００の表示画面については、放送画面だけでなく、番組表やレコーダー（図示しない）などから入力されたコンテンツなどであってもよい。
【００３９】
次いで、制御部１０２は、外部機器（携帯電話２００）との接続の有無を検出する（Ｓ２１）。携帯電話２００との接続がない場合（Ｓ２１：ＮＯ）はＳ２０へ処理を戻し、表示部１０１における放送画面の表示を継続する。
【００４０】
携帯電話２００との接続がある場合（Ｓ２１：ＹＥＳ）、制御部１０２は、携帯電話２００より出力される機種情報を通信ケーブル３００、通信Ｉ／Ｆ１０６を介して受信する（Ｓ２２）。次いで、制御部１０２は、携帯電話２００より出力される表示データと、携帯電話２００の姿勢を示す情報とを通信ケーブル３００、通信Ｉ／Ｆ１０６を介して受信する（Ｓ２３）。
【００４１】
次いで、制御部１０２は、携帯電話２００の接続前に表示していた放送画面を表示する画面Ｇ１と、携帯電話２００より受信した表示データを表示する外部入力画面Ｇ２とを表示部１０１に表示する、２画面表示を開始する（Ｓ２４）。
【００４２】
２画面表示が開始されると、制御部１０２は、携帯電話２００より受信した機種情報に応じて外部入力画面Ｇ２の枠を設定する（Ｓ２５）。具体的には、制御部１０２は、記憶部２０５の各種情報に予め設定された機種ごとの枠画像を参照し、受信した機種情報が示す機種に対応した枠画像を外部入力画面Ｇ２の枠として設定する。
【００４３】
次いで、制御部１０２は、Ｓ２５で設定した枠内に、携帯電話２００より受信した表示データの映像、すなわち表示部２０２の表示画面をはめ込み、外部入力画面Ｇ２を生成する（Ｓ２６）。次いで、画像回転手段としての制御部１０２は、携帯電話２００より受信した携帯電話２００の姿勢を示す情報をもとに生成した外部入力画面Ｇ２を回転し（Ｓ２７）、回転した外部入力画面Ｇ２を表示部１０１に表示する。具体的には、携帯電話２００の姿勢に合わせた方向に外部入力画面Ｇ２を回転して表示部１０１に表示する。
【００４４】
例えば、上方向に表示部２０２が向いている状態では（図４：縦方向の状態）、操作部２０３を下にした携帯電話２００の姿勢に合わせた表示方向に外部入力画面Ｇ２を回転して表示部１０１に表示する。また、その状態から左へ９０度回転した状態（図４：横方向の状態）であって、基準に対して右方向に表示部２０２が向いている状態では、操作部２０３を右にした携帯電話２００の姿勢に合わせた表示方向に外部入力画面Ｇ２を回転して表示部１０１に表示する。このように、携帯電話２００の表示画面を表示する外部入力画面Ｇ２を携帯電話２００の姿勢に合わせて回転させることで、表示部１０１における外部入力画面Ｇ２の表示が横向きに寝てしまうことがなくなる。したがって、外部入力画面Ｇ２を見易くすることができる。
【００４５】
次いで、制御部１０２は、携帯電話２００より出力される操作指示を通信ケーブル３００、通信Ｉ／Ｆ１０６を介して受信する（Ｓ２８）。次いで、制御部１０２は、受信した操作指示に応じて表示部１０１の表示を変更する（Ｓ２９）。例えば、Ｓ２９では、スライダＧ３１（図８参照）により指示された、画面Ｇ１と外部入力画面Ｇ２とのサイズ比率（サイズ情報）に従って、表示部１０１に表示する画面Ｇ１と外部入力画面Ｇ２の表示サイズを変更する。また、Ｓ２９では、画面Ｇ１に表示している放送画面のチャンネル変更などが指示された場合には、指示に応じたチャンネルの映像に画面Ｇ１の表示を切り替える。なお、サイズ比率による外部入力画面Ｇ２の表示サイズの変更は一例であり、サイズ比率以外に、実サイズを示すピクセル数などをもとに外部入力画面Ｇ２の表示サイズを変更してもよい。
【００４６】
上述した表示サイズの変更次第では、画面Ｇ１と外部入力画面Ｇ２とを横や縦に並べた際に表示部１０１の表示エリアに収まりきらない場合がある。例えば、図９に示すように、画面Ｇ１と外部入力画面Ｇ２とを横に並べる場合は、携帯電話２００の姿勢を横向きにした際に画面Ｇ１と外部入力画面Ｇ２とが表示部１０１の表示エリアに収まりきらなくなる。このような場合は、図示例のとおり、画面Ｇ１と外部入力画面Ｇ２とを重ねて表示してもよい。また、画面Ｇ１又は外部入力画面Ｇ２の一部が表示部１０１の表示エリアからはみ出すように配置してもよい。この場合、表示部１０１の表示エリアからはみ出す部分については、外部入力画面Ｇ２の枠画像のみに調整されることが好ましい。
【００４７】
また、画面Ｇ１と外部入力画面Ｇ２との２画面表示のレイアウトについては、図４、９の例に限定しない。例えば、放送画面を表示する画面Ｇ１をメインにして、その放送画面の操作を携帯電話２００の表示部２０２に表示された操作画像Ｇ３で行う場合がある。このような場合には、図１０に示すように、画面Ｇ１を表示部１０１の表示エリア一杯に表示し、外部入力画面Ｇ２をその表示エリアの隅に表示してよい。このようなレイアウトとすることで、放送画面上のチャンネル表示などと同様に、外部入力画面Ｇ２を目立たなくすることができる。
【００４８】
放送画面の操作を携帯電話２００の表示部２０２に表示された操作画像Ｇ３で行う場合には、図１１に示すように、携帯電話２００の姿勢に応じて表示部２０２の操作画像Ｇ３の構成を変更してよい。具体的には、図示例のように、横方向の場合の操作画像Ｇ３と、縦方向の場合の操作画像Ｇ３とを回転によって切り替えてよい。この場合は、切り替えと連動して外部入力画面Ｇ２の表示も変更されることとなる。
【００４９】
図７に戻り、Ｓ２９以降のテレビジョン受信装置１００の処理を説明する。Ｓ２９に次いで、制御部１０２は、携帯電話２００との接続が解除されたか否かを判定する（Ｓ３０）。携帯電話２００との接続が解除されていない場合（Ｓ３０：ＮＯ）は、Ｓ２５へ処理を戻して２画面表示を継続する。
【００５０】
携帯電話２００との接続が解除された場合（Ｓ３０：ＹＥＳ）、制御部１０２は、表示部１０１における外部入力画面Ｇ２の表示を終了し（Ｓ３１）、放送画面のみの表示に戻す。なお、操作画像Ｇ３のボタンＧ３２などにより、外部入力画面Ｇ２の表示をＯＦＦする指示があった場合も同様に、表示部１０１における外部入力画面Ｇ２の表示を終了し、放送画面のみの表示に戻す。
【００５１】
次いで、制御部１０２は、リモートコントローラや操作ボタンなどによる操作指示などに応じて、処理の終了の有無を判定する（Ｓ３２）。処理を継続する場合（Ｓ３２：ＮＯ）はＳ２０へ処理を戻す。処理を終了する場合（Ｓ３２：ＹＥＳ）、制御部１０２は、表示部１０１の放送画面の表示を停止して処理を終了する。
【００５２】
以上のように、テレビジョン受信装置１００は、接続された携帯電話２００から、その携帯電話２００の姿勢に応じた方向に表示する表示画面を含む表示データと、携帯電話２００の姿勢を示す情報とを受信する。テレビジョン受信装置１００は、携帯電話２００の姿勢を示す情報をもとに、表示データに含まれる表示画面を、携帯電話２００の姿勢に合わせた方向に回転し、回転した表示画面を外部入力画面Ｇ２として表示部１０１に表示する。したがって、テレビジョン受信装置１００は、携帯電話２００から出力された、姿勢に応じて変更される表示画面を見易くすることができる。
【００５３】
＜変形例＞
上述した実施形態では、表示部２０２の表示画面の全てを外部入力画面Ｇ２として表示部１０１に表示する場合を例示した。しかしながら、外部入力画面Ｇ２として表示する領域は、表示部２０２の表示画面の全てではなく、表示画面の一部の領域であってもよい。例えば、表示部２０２の解像度が表示部１０１の解像度と比較して十分に高い場合には、表示部２０２の表示画面の全てを外部入力画面Ｇ２として表示すると、表示部１０１に占める外部入力画面Ｇ２の領域が大きくなることから、表示部２０２の表示画面の一部の領域のみを外部入力画面Ｇ２として表示することが好ましい。
【００５４】
図１２、１３は、変形例にかかるテレビジョン受信装置１００と携帯電話２００との表示を例示する概念図である。図１２、１３に示すように、変形例において、外部入力画面Ｇ２には、操作部２０３などの操作に応じた表示領域アイコンＧ４で選択された表示部２０２の表示画面が表示される。
【００５５】
この変形例にかかる処理について説明する。変形例にかかる処理において、携帯電話２００では、表示領域アイコンＧ４により領域の選択を受け付け（図７のＳ７が相当）、受け付けた領域の大きさと位置とを示す情報をテレビジョン受信装置１００へ出力する（図７のＳ８が相当）。テレビジョン受信装置１００では、領域の大きさと位置とを示す情報を受信する（図７のＳ２８が相当）。ついで、Ｓ２７で回転した外部入力画面Ｇ２の中から、受信した情報をもとにトリミングした画像を表示部１０１に表示する（図７のＳ２９が相当）。
【００５６】
このように、表示部２０２の表示画面の一部の領域のみを外部入力画面Ｇ２として表示する場合には、表示部２０２の表示画面のどの領域が表示されているのかを表示部１０１の表示のみから判断することは困難となる。したがって、図１３に示すように、テレビジョン受信装置１００では、外部入力画面Ｇ２として表示する領域の大きさと位置とを示す情報をもとにした外部機器アイコンＧ５を表示部１０１に表示する。これにより、表示部２０２の表示画面のどの領域が外部入力画面Ｇ２として表示されているかを、外部機器アイコンＧ５より判断することが可能となる。
【００５７】
なお、本実施形態のテレビジョン受信装置１００、携帯電話２００で実行されるプログラムは、ＲＯＭ等に予め組み込まれて提供される。また、本実施形態のテレビジョン受信装置１００、携帯電話２００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５８】
さらに、本実施形態のテレビジョン受信装置１００、携帯電話２００で実行されるプログラムを、インターネット等のネットワークに接続されたコンピュータ上に格納し、ネットワーク経由でダウンロードさせることにより提供するように構成しても良い。また、本実施形態のテレビジョン受信装置１００、携帯電話２００で実行されるプログラムをインターネット等のネットワーク経由で提供または配布するように構成しても良い。
【００５９】
本実施形態のテレビジョン受信装置１００、携帯電話２００で実行されるプログラムは、上述したＳ１〜Ｓ３２の処理にかかる機能部を含むモジュール構成となっており、実際のハードウェアとしてはＣＰＵ（プロセッサ）が上記ＲＯＭからプログラムを読み出して実行することにより上記機能部が主記憶装置上にロードされ、上記機能部が主記憶装置上に生成されるようになっている。
【００６０】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。  
【符号の説明】
【００６１】
１００  テレビジョン受信装置
１０１  表示部
１０２  制御部
１０３  記憶部
１０６  通信Ｉ／Ｆ
２００  携帯電話
２０２  表示部
２０３  操作部
２０４  制御部
２０５  記憶部
２０９  姿勢検出部
２１０  通信Ｉ／Ｆ
３００  通信ケーブル
Ｇ１  画面
Ｇ２  外部入力画面
Ｇ３  操作画像
Ｇ３１  スライダ
Ｇ３２  ボタン
Ｇ４  表示領域アイコン
Ｇ５  外部機器アイコン
【要約】
【課題】外部機器から出力された、姿勢に応じて変更される表示画面を見易くすることを可能とする。
【解決手段】表示装置は、接続された外部機器から、その外部機器の姿勢に応じた方向に表示する表示画面を含む表示データと、外部機器の姿勢を示す姿勢情報とを受信する（Ｓ２３）。表示装置は、姿勢情報をもとに、表示データに含まれる表示画面を、外部機器の姿勢に合わせた方向に回転し、回転された表示画面を表示する（Ｓ２７）。
【選択図】図７【図１】
0004818454.tif 000002
【図２】
0004818454.tif 000003
【図３】
0004818454.tif 000004
【図４】
0004818454.tif 000005
【図５】
0004818454.tif 000006
【図６】
0004818454.tif 000007
【図７】
0004818454.tif 000008
【図８】
0004818454.tif 000009
【図９】
0004818454.tif 000010
【図１０】
0004818454.tif 000011
【図１１】
0004818454.tif 000012
【図１２】
0004818454.tif 000013
【図１３】
0004818454.tif 000014